(57)【要約】【課題】  原稿の出力用紙サイズがどのようなサイズであっても、背景文字列が自然な画像形成を行うことができる画像処理装置及び背景画像合成プログラムを提供する。【解決手段】  操作パネル４０の操作部４１で設定された背景画像の主走査方向の個数及び出力用紙サイズに基づき背景文字列のサイズをサイズ決定部２４で決定して、背景文字列生成部２５で背景文字列を生成し、背景画像の主走査方向にこの背景文字列生成部２５で生成された背景文字列が操作部４１で設定された個数配列された背景画像を背景画像生成部２５で生成し、この背景画像生成部２５で生成された背景画像を画像合成部２７で原稿画像に合成して画像出力部２８からプリンタ３０の印字部３１に転送する。【選択図】  図１
2010103827.tif 000002
【特許請求の範囲】
【請求項１】
原稿画像を出力する出力用紙のサイズを決定する出力用紙サイズ決定手段と、
背景画像に含まれる背景文字列の主走査方向における個数を設定する背景文字列個数設定手段と、
前記背景文字列個数設定手段で設定された前記個数及び前記出力用紙サイズ決定手段により決定された前記出力用紙サイズに基づき前記背景文字列のサイズを決定する背景文字列サイズ決定手段と、
前記背景文字列サイズ決定手段で決定された前記背景文字列サイズの背景文字列が前記背景画像の主走査方向に前記背景文字列個数設定手段で設定された前記個数配列された背景画像を生成する背景画像生成手段と、
前記原稿画像に前記背景画像生成手段で生成された背景画像を合成する背景画像合成手段と
を具備する画像処理装置。
【請求項２】
原稿画像を出力する出力用紙のサイズを決定する出力用紙サイズ決定手段と、
背景画像に含まれる背景文字列の主走査方向における主走査方向個数及び副走査方向における副走査方向個数を設定する背景文字列個数設定手段と、
前記背景文字列個数設定手段で設定された前記主走査方向個数及び前記副走査方向個数及び前記出力用紙サイズ決定手段により決定された前記出力用紙サイズに基づき前記背景文字列のサイズを決定する背景文字列サイズ決定手段と、
前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段と、
前記原稿画像に前記背景画像生成手段で生成された背景画像を合成する背景画像合成手段と
を具備する画像処理装置。
【請求項３】
原稿画像を出力する出力用紙のサイズを決定する出力用紙サイズ決定手段と、
背景画像に含まれる背景文字列の主走査方向における個数を前記背景文字列の文字数に対応して決定する背景文字列個数決定手段と、
前記背景文字列個数決定手段で決定された前記個数及び前記出力用紙サイズ決定手段により決定された前記出力用紙サイズに基づき前記背景文字列のサイズを決定する背景文字列サイズ決定手段と、
前記背景文字列サイズ決定手段で決定された前記背景文字列サイズの背景文字列が前記背景画像の主走査方向に前記背景文字列個数決定手段で決定された個数配列された背景画像を生成する背景画像生成手段と、
前記原稿画像に前記背景画像生成手段で生成された背景画像を合成する背景画像合成手段と
を具備する画像処理装置。
【請求項４】
原稿画像を出力する出力用紙のサイズを決定する出力用紙サイズ決定手段と、
背景画像に含まれる背景文字列の主走査方向における主走査方向個数及び副走査方向における副走査方向個数を前記背景文字列の文字数に対応して決定する背景文字列個数決定手段と、
前記背景文字列個数決定手段で決定された前記主走査方向個数及び前記副走査方向個数及び前記出力用紙サイズ決定手段により決定された前記出力用紙サイズに基づき前記背景文字列のサイズを決定する背景文字列サイズ決定手段と、
前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段と、
前記原稿画像に前記背景画像生成手段で生成された背景画像を合成する背景画像合成手段と
を具備する画像処理装置。
【請求項５】
前記出力用紙サイズ決定手段は、
前記原稿画像に出力用紙サイズが設定されていない場合は、前記原稿画像のサイズから前記出力用紙のサイズを決定し、前記原稿画像に出力用紙サイズが設定されている場合は、該設定された出力用紙サイズから前記出力用紙のサイズを決定する請求項１乃至４のいずれかに記載の画像処理装置。
【請求項６】
前記背景画像が合成された合成画像の転送を受けて前記背景画像が合成された前記原稿画像を形成する画像形成手段
を具備し、
前記背景画像合成手段は、
前記合成画像の転送前に前記原稿画像に前記背景画像を合成する請求項１乃至４のいずれかに記載の画像処理装置。
【請求項７】
前記背景画像が合成された合成画像の転送を受けて該背景画像が合成された前記原稿画像を形成する画像形成手段
を具備し、
前記背景画像合成手段は、
前記合成画像の転送時に前記原稿画像に前記背景画像を合成する請求項１乃至４のいずれかに記載の画像処理装置。
【請求項８】
コンピュータを、
原稿画像を出力する出力用紙のサイズを決定する出力用紙サイズ決定手段、
背景画像に含まれる背景文字列の主走査方向における個数を設定する背景文字列個数設定手段、
前記背景文字列個数設定手段で設定された前記個数及び前記出力用紙サイズ決定手段により決定された前記出力用紙サイズに基づき前記背景文字列のサイズを決定する背景文字列サイズ決定手段、
前記背景文字列サイズ決定手段で決定された前記背景文字列サイズの背景文字列が前記背景画像の主走査方向に前記背景文字列個数設定手段で設定された個数配列された背景画像を生成する背景画像生成手段、
前記原稿画像に前記背景画像生成手段で生成された背景画像を合成する背景画像合成手段
として機能させる背景画像合成プログラム。
【請求項９】
コンピュータを、
原稿画像を出力する出力用紙のサイズを決定する出力用紙サイズ決定手段、
背景画像に含まれる背景文字列の主走査方向における主走査方向個数及び副走査方向における副走査方向個数を設定する背景文字列個数設定手段、
前記背景文字列個数設定手段で設定された前記主走査方向個数及び前記副走査方向個数及び前記出力用紙サイズ決定手段により決定された前記出力用紙サイズに基づき前記背景文字列のサイズを決定する背景文字列サイズ決定手段、
前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段、
前記原稿画像に前記背景画像生成手段で生成された背景画像を合成する背景画像合成手段
として機能させる背景画像合成プログラム。
【請求項１０】
コンピュータを、
原稿画像を出力する出力用紙のサイズを決定する出力用紙サイズ決定手段、
背景画像に含まれる背景文字列の主走査方向における個数を前記背景文字列の文字数に対応して決定する背景文字列個数決定手段、
前記背景文字列個数決定手段で決定された前記個数及び前記出力用紙サイズ決定手段により決定された前記出力用紙サイズに基づき前記背景文字列のサイズを決定する背景文字列サイズ決定手段、
前記背景文字列サイズ決定手段で決定された前記背景文字列サイズの背景文字列が前記背景画像の主走査方向に前記背景文字列個数決定手段で決定された個数配列された背景画像を生成する背景画像生成手段、
前記原稿画像に前記背景画像生成手段で生成された背景画像を合成する背景画像合成手段
として機能させる背景画像合成プログラム。
【請求項１１】
コンピュータを、
原稿画像を出力する出力用紙のサイズを決定する出力用紙サイズ決定手段、
背景画像に含まれる背景文字列の主走査方向における主走査方向個数及び副走査方向における副走査方向個数を前記背景文字列の文字数に対応して決定する背景文字列個数決定手段、
前記背景文字列個数決定手段で決定された前記主走査方向個数及び前記副走査方向個数及び前記出力用紙サイズ決定手段により決定された前記出力用紙サイズに基づき前記背景文字列のサイズを決定する背景文字列サイズ決定手段、
前記背景文字列サイズ決定手段で決定された前記背景文字列サイズの背景文字列が前記背景画像の主走査方向に前記主走査方向個数配列配列され、かつ、前記背景画像の副走査方向に前記副走査方向個数配列された背景画像を生成する背景画像生成手段、
前記原稿画像に前記背景画像生成手段で生成された背景画像を合成する背景画像合成手段
として機能させる背景画像合成プログラム。
【発明の詳細な説明】
【技術分野】
【０００１】
本発明は、画像処理装置及び背景画像合成プログラムに関する。
【背景技術】
【０００２】
各企業や公的機関は、重要文書および図面等の秘密保持に細心の注意を払ってきた。しかしながら、それら秘密文書の漏洩問題はあとを断たない。中でも、会議資料等として配布された秘密文書が複写され外部に持ち出される場合がしばしばある。
【０００３】
このため、会議等で秘密文書を配布する際に同一原稿に対する複数のコピーのそれぞれに異なる文字列（例えばシリアル番号）を記述し、被配布者と文字列の組合わせを記憶して、漏洩時の漏洩元を明らかにすることにより、秘密保持を行う等の工夫がなされている。
【０００４】
従来、同一原稿に対する複数のコピーのそれぞれに異なる文字列を付与する場合に、形成画像の全面に複製禁止の文字列を背景としてレイアウトし、原稿画像と複製禁止の文字列とを重ね合わせている。
【０００５】
この場合、文字列の印字濃度、サイズ、間隔およびドット構成等により原稿の持つ情報を損ねるか、或いは、原稿の持つ情報を損ねないまでも判読性を著しく低下させることがある。
【０００６】
そこで、特許文献１では、文字列の印字濃度、サイズ、間隔およびドット構成をユーザが内部設定として設定できるようにして、判読性を著しく低下させないようにした構成が開示されている。
【０００７】
また、Ａ４〜Ａ０までの様々な用紙サイズに対応している画像処理装置における背景文字列のサイズ等の設定例として次のようなものがある。
【０００８】
例えば、背景文字列に関する内部設定に「Ａ４用の値」を設定していた場合、これをＡ０用紙に出力する際には背景文字列のパラメータがＡ４用として出力される。
【０００９】
逆に、背景文字列に関する内部設定に「Ａ０用の値」を設定していた場合、Ａ４用紙に出力する際には背景文字列のパラメータがＡ０用として出力される。
【特許文献１】特開平５−２２５６８号公報
【発明の開示】
【発明が解決しようとする課題】
【００１０】
この発明は、原稿の出力用紙サイズに応じた背景文字列で画像形成を行うことができる画像処理装置及び背景画像合成プログラムを提供することを目的とする。
【課題を解決するための手段】
【００１１】
上記目的を達成するため、請求項１の発明の画像処理装置は、原稿画像を出力する出力用紙のサイズを決定する出力用紙サイズ決定手段と、背景画像に含まれる背景文字列の主走査方向における個数を設定する背景文字列個数設定手段と、前記背景文字列個数設定手段で設定された前記個数及び前記出力用紙サイズ決定手段により決定された前記出力用紙サイズに基づき前記背景文字列のサイズを決定する背景文字列サイズ決定手段と、前記背景文字列サイズ決定手段で決定された前記背景文字列サイズの背景文字列が前記背景画像の主走査方向に前記背景文字列個数設定手段で設定された個数配列された背景画像を生成する背景画像生成手段と、前記原稿画像に前記背景画像生成手段で生成された背景画像を合成する背景画像合成手段とを具備する。
【００１２】
また、請求項２の発明の画像処理装置は、原稿画像を出力する出力用紙のサイズを決定する出力用紙サイズ決定手段と、背景画像に含まれる背景文字列の主走査方向における主走査方向個数及び副走査方向における副走査方向個数を設定する背景文字列個数設定手段と、前記背景文字列個数設定手段で設定された前記主走査方向個数及び前記副走査方向個数及び前記出力用紙サイズ決定手段により決定された前記出力用紙サイズに基づき前記背景文字列のサイズを決定する背景文字列サイズ決定手段と、前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列され背景画像を生成する背景画像生成手段と、前記原稿画像に前記背景画像生成手段で生成された背景画像を合成する背景画像合成手段とを具備する。
【００１３】
また、請求項３の発明の画像処理装置は、原稿画像を出力する出力用紙のサイズを決定する出力用紙サイズ決定手段と、背景画像に含まれる背景文字列の主走査方向における個数を前記背景文字列の文字数に対応して決定する背景文字列個数決定手段と、前記背景文字列個数決定手段で決定された前記個数及び前記出力用紙サイズ決定手段により決定された前記出力用紙サイズに基づき前記背景文字列のサイズを決定する背景文字列サイズ決定手段と、前記背景文字列サイズ決定手段で決定された前記背景文字列サイズの背景文字列が前記背景画像の主走査方向に前記背景文字列個数決定手段で決定された個数配列された背景画像を生成する背景画像生成手段と、前記原稿画像に前記背景画像生成手段で生成された背景画像を合成する背景画像合成手段とを具備する。
【００１４】
また、請求項４の発明の画像処理装置は、原稿画像を出力する出力用紙のサイズを決定する出力用紙サイズ決定手段と、背景画像に含まれる背景文字列の主走査方向における主走査方向個数及び副走査方向における副走査方向個数を前記背景文字列の文字数に対応して決定する背景文字列個数決定手段と、前記背景文字列個数決定手段で決定された前記主走査方向個数及び前記副走査方向個数及び前記出力用紙サイズ決定手段により決定された前記出力用紙サイズに基づき前記背景文字列のサイズを決定する背景文字列サイズ決定手段と、前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段と、前記原稿画像に前記背景画像生成手段で生成された背景画像を合成する背景画像合成手段とを具備する。
【００１５】
また、請求項５の発明は、請求項１乃至４のいずれかの発明において、前記出力用紙サイズ決定手段は、前記原稿画像に出力用紙サイズが設定されていない場合は、前記原稿画像のサイズから前記出力用紙のサイズを決定し、前記原稿画像に出力用紙サイズが設定されている場合は、該設定された出力用紙サイズから前記出力用紙のサイズを決定する。
【００１６】
また、請求項６の発明は、請求項１乃至４のいずれかの発明において、前記背景画像が合成された合成画像の転送を受けて前記背景画像が合成された前記原稿画像を形成する画像形成手段を具備し、前記背景画像合成手段は、前記合成画像の転送前に前記原稿画像に前記背景画像を合成する。
【００１７】
また、請求項７の発明は、請求項１乃至４のいずれかの発明において、前記背景画像が合成された合成画像の転送を受けて該背景画像が合成された前記原稿画像を形成する画像形成手段を具備し、前記背景画像合成手段は、前記合成画像の転送時に前記原稿画像に前記背景画像を合成する。
【００１８】
また、請求項８の発明の背景画像合成プログラムは、コンピュータを、原稿画像を出力する出力用紙のサイズを決定する出力用紙サイズ決定手段、背景画像に含まれる背景文字列の主走査方向における個数を設定する背景文字列個数設定手段、前記背景文字列個数設定手段で設定された前記個数及び前記出力用紙サイズ決定手段により決定された前記出力用紙サイズに基づき前記背景文字列のサイズを決定する背景文字列サイズ決定手段、前記背景文字列サイズ決定手段で決定された前記背景文字列サイズの背景文字列が前記背景画像の主走査方向に前記背景文字列個数設定手段で設定された個数配列された背景画像を生成する背景画像生成手段、前記原稿画像に前記背景画像生成手段で生成された背景画像を合成する背景画像合成手段として機能させる。
【００１９】
また、請求項９の発明の背景画像合成プログラムは、コンピュータを、原稿画像を出力する出力用紙のサイズを決定する出力用紙サイズ決定手段、背景画像に含まれる背景文字列の主走査方向における主走査方向個数及び副走査方向における副走査方向個数を設定する背景文字列個数設定手段、前記背景文字列個数設定手段で設定された前記主走査方向個数及び前記副走査方向個数及び前記出力用紙サイズ決定手段により決定された前記出力用紙サイズに基づき前記背景文字列のサイズを決定する背景文字列サイズ決定手段、前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段、前記原稿画像に前記背景画像生成手段で生成された背景画像を合成する背景画像合成手段として機能させる。
【００２０】
また、請求項１０の発明の背景画像合成プログラムは、コンピュータを、原稿画像を出力する出力用紙のサイズを決定する出力用紙サイズ決定手段、背景画像に含まれる背景文字列の主走査方向における個数を前記背景文字列の文字数に対応して決定する背景文字列個数決定手段、前記背景文字列個数決定手段で決定された前記個数及び前記出力用紙サイズ決定手段により決定された前記出力用紙サイズに基づき前記背景文字列のサイズを決定する背景文字列サイズ決定手段、前記背景文字列サイズ決定手段で決定された前記背景文字列サイズの背景文字列が前記背景画像の主走査方向に前記背景文字列個数決定手段で決定された個数配列された背景画像を生成する背景画像生成手段、前記原稿画像に前記背景画像生成手段で生成された背景画像を合成する背景画像合成手段として機能させる。
【００２１】
また、請求項１１の発明の背景画像合成プログラムは、コンピュータを、原稿画像を出力する出力用紙のサイズを決定する出力用紙サイズ決定手段、背景画像に含まれる背景文字列の主走査方向における主走査方向個数及び副走査方向における副走査方向個数を前記背景文字列の文字数に対応して決定する背景文字列個数決定手段、前記背景文字列個数決定手段で決定された前記主走査方向個数及び前記副走査方向個数及び前記出力用紙サイズ決定手段により決定された前記出力用紙サイズに基づき前記背景文字列のサイズを決定する背景文字列サイズ決定手段、前記背景文字列サイズ決定手段で決定された前記背景文字列サイズの背景文字列が前記背景画像の主走査方向に前記主走査方向個数配列され、かつ、前記背景画像の副走査方向に前記副走査方向個数配列された背景画像を生成する背景画像生成手段、前記原稿画像に前記背景画像生成手段で生成された背景画像を合成する背景画像合成手段として機能させる。
【発明の効果】
【００２２】
請求項１の発明によれば、背景画像に含まれる背景文字列の主走査方向における個数を設定するだけで、原稿の出力用紙サイズに応じた背景文字列のサイズで画像形成を行うことができる。
【００２３】
また、請求項２の発明によれば、背景画像に含まれる背景文字列の主走査方向における主走査方向個数及び副走査方向における副走査方向個数を設定するだけで、画像形成を行うことができる。
【００２４】
また、請求項３の発明によれば、原稿の出力用紙サイズに応じた背景文字列の文字数に対応して画像形成を行うことができる。
【００２５】
また、請求項４の発明によれば、原稿の出力用紙サイズに応じた背景文字列の文字数に対応して画像形成を行うことができる。
【００２６】
また、請求項５の発明によれば、原稿画像に出力用紙サイズが設定されていない場合あるは設定されている場合でも、出力用紙のサイズを決定することができる。
【００２７】
また、請求項６の発明によれば、背景画像の合成を画像形成手段に対する画像転送前に行うことができる。
【００２８】
また、請求項７の発明によれば、背景画像の合成を画像形成手段に対する画像転送時に行うことができる。
【００２９】
また、請求項８の発明によれば、原稿の出力用紙サイズに応じた背景文字列のサイズで画像形成を行う背景画像合成プログラムを提供することができる。
【００３０】
また、請求項９の発明によれば、背景画像に含まれる背景文字列の主走査方向における主走査方向個数及び副走査方向における副走査方向個数を設定するだけで、原稿の出力用紙サイズに応じた背景文字列のサイズで画像形成を行う背景画像合成プログラムを提供することができる。
【００３１】
また、請求項１０の発明によれば、原稿の出力用紙サイズに応じた背景文字列の文字数に対応して画像形成を行う背景画像合成プログラムを提供することができる。
【００３２】
また、請求項１１の発明によれば、原稿の出力用紙サイズに応じた背景文字列の文字数に対応して画像形成を行う背景画像合成プログラムを提供することができる。
【発明を実施するための最良の形態】
【００３３】
以下、本発明に係わる画像処理装置及び背景画像合成プログラムの実施例について添付図面を参照して詳細に説明する。
【実施例】
【００３４】
図１は、本発明に係わる画像処理装置の一実施例の全体構成を示す図である。
【００３５】
図１に示す画像処理装置１００は、スキャナ１０、コントローラ２０、プリンタ３０、操作パネル４０を具備して構成され、スキャナ１０には、画像読取部１１が設けられ、コントローラ２０には、画像入力部２１、入力画像記憶部２２、背景文字列の設定個数記憶部２３、背景文字列のサイズ決定部２４、背景文字列生成部２５、背景画像生成部２６、画像合成部２７、画像出力部２８が設けられ、プリンタ３０に、印字部３１が設けられ、操作パネル４０には、操作部４１が設けられる。
【００３６】
ここで、スキャナ１０の画像読取部１１は、原稿から画像を読み取り、原稿画像を出力する。
【００３７】
また、コントローラ２１の画像入力部２１は、画像読取部１１から出力された原稿画像若しくは外部のホストコンピュータ２００から転送された原稿画像を入力し、入力画像記憶部２２は、画像入力部２１で入力された原稿画像を記憶する。
【００３８】
背景文字列の設定個数記憶部２３は、操作パネル４０の操作部４１で設定された背景文字列の個数を記憶する。
【００３９】
この実施例においては、操作パネル４０の操作部４１における背景文字列の文字サイズの指定を、各出力用紙サイズに対応した文字サイズの指定ではなく、出力用紙サイズに依存しない背景画像の主走査方向の個数の設定により行う。
【００４０】
したがって、背景文字列の設定個数記憶部２３には、操作パネル４０の操作部４１により設定された出力用紙サイズに依存しない背景画像の主走査方向の個数が記憶される。
【００４１】
背景文字列のサイズ決定部２５は、設定個数記憶部２３に記憶された背景画像の主走査方向の個数および入力画像記憶部２２に記憶された原稿画像を印字出力する出力用紙サイズに基づき背景文字列を構成する各文字のサイズを決定する。
【００４２】
ここで、出力用紙サイズは、入力画像記憶部２２に記憶された原稿画像に出力用紙サイズが設定されている場合は、この設定されている出力用紙サイズを用い、入力画像記憶部２２に記憶された原稿画像に出力用紙サイズが設定されていない場合は、入力画像記憶部２２に記憶された原稿画像のサイズから出力用紙サイズを決定する。
【００４３】
背景文字列のサイズ決定部２５における背景文字列を構成する各文字のサイズの決定手法は後に詳述するが、例えば、予め背景画像の主走査方向の個数および出力用紙サイズに対応して文字サイズを設定する文字サイズ決定テーブルを用いて決定される。
【００４４】
背景文字生成部２５は、背景画像に含ませる１または複数の文字からなる背景文字列を背景文字列のサイズ決定部２５で決定された文字サイズで生成するもので、ここで、この背景文字列は、例えば、用紙に印字出力される原稿画像を特定するもので、予め各原稿画像に対応して生成される。
【００４５】
背景画像生成部２６は、背景文字生成部２５で生成された背景文字列が所定の間隔で配列された背景画像を生成する。ここで、この背景画像生成部２６により形成される背景画像は、その背景画像の主走査方向の背景文字列の個数が前記背景文字列の設定個数記憶部２３に記憶された個数に一致するように配設される。
【００４６】
この背景画像生成部２６における背景画像生成手法は、例えば、出力用紙サイズの主走査方向の長さと設定個数記憶部２３に記憶された個数とから、背景画像の主走査方向に設定個数記憶部２３に記憶された個数の背景文字列が均等に配列されるように背景文字列間の距離を求めて、この距離に基づき背景画像の主走査方向に設定個数記憶部２３に記憶された設定個数の背景文字列を配列し、この文字列の配列を基準として背景文字列の配列の副走査方向の間隔を求めて、出力用紙サイズに対応するサイズの背景画像全体に背景文字列が配列された背景画像を形成する。この背景画像の具体例については後に詳述する。
【００４７】
画像合成部２７は、入力画像記憶部２２に記憶された原稿画像に背景画像生成部２６で生成された背景画像を合成する画像合成処理を行う。
【００４８】
画像出力部２８は、画像合成部２７で合成された合成画像をプリンタ３０の印字部３１に転送する。
【００４９】
なお、上記構成においては、画像合成部２７で原稿画像と背景画像とを合成した後、画像出力部２８からプリンタ３０の印字部３１に転送するようにしたが、画像出力部２８が、入力画像記憶部２２に記憶された原稿画像に背景画像生成部２６で生成された背景画像を合成しながら、合成画像をプリンタ３０の印字部３１に転送するように構成してもよい。
【００５０】
プリンタ３０の印字部３１は、画像出力部２８から転送された合成画像に基づき背景画像が合成された原稿画像の印字を行う。
【００５１】
また、操作パネル部４０の操作部４１は、この発明に係わる背景文字列の主走査方向の個数設定を含む各種設定、入力操作を行うものである。
【００５２】
図２は、図１に示したコントローラ２０の画像形成処理を示すフローチャートである。
【００５３】
まず、画像形成に係わる原稿画像を画像読取部１１若しくはホストコンピュータ２００から原稿画像を画像入力部２１で入力する（ステップ２０１）。この入力された原稿画像は入力画像記憶部２２に記憶される（ステップ２０２）。
【００５４】
次に、背景文字列の設定個数記憶部２３から該背景文字列の設定個数記憶部２３に記憶されている背景画像に関する主走査方向の背景文字列の個数を背景文字列のサイズ決定部２４が取得する（ステップ２０３）。
【００５５】
そして、背景文字列のサイズ決定部２４は、上記主走査方向の背景文字列の個数および入力画像記憶部２２に記憶した原稿画像を印字出力する出力用紙サイズに基づき背景文字列のサイズ、すなわち、背景文字列を構成する各文字のサイズ（ポイント数）を決定する（ステップ２０４）。この背景文字列のサイズ、すなわち、背景文字列を構成する各文字のサイズ（ポイント数）の決定は、例えば、図３に示す背景文字列サイズ決定テーブルを用いて行われる。
【００５６】
図３に示す背景文字列サイズ決定テーブルには、主走査方向の背景文字列の個数および原稿画像を印字出力する出力用紙サイズに対応して、背景文字列を構成する各文字の最適サイズ（ポイント数）が予め記憶されている。例えば、主走査方向の背景文字列の個数が「３」であり、原稿画像を印字出力する出力用紙サイズが「Ａ４」であると、背景文字列を構成する各文字のサイズ（ポイント数）は「Ｐ４３」と記憶され、また、主走査方向の背景文字列の個数が「３」であり、原稿画像を印字出力する出力用紙サイズが「Ａ０」であると、背景文字列を構成する各文字のサイズ（ポイント数）は「Ｐ０３」と記憶されている。ここで、Ｐ４３〜Ｐ０３は、主走査方向の背景文字列の個数および出力用紙サイズに対応して予め決定されたポイント数を示す。
【００５７】
背景文字列のサイズ決定部２４は、背景文字列の設定個数記憶部２３から取得した主走査方向の背景文字列の個数および入力画像記憶部２２に記憶された入力画像から決定された出力用紙サイズに基づき、図３に示す背景文字列サイズ決定テーブルを参照して背景文字列のサイズ、すなわち、背景文字列を構成する各文字のサイズ（ポイント数）を決定する。
【００５８】
ステップ２０５では、ステップ２０４で決定された背景文字列を構成する各文字のサイズ（ポイント数）を用いて所定の背景文字列を生成し、この背景文字列が所定の間隔で配列された図４に示すような背景画像を生成する（ステップ２０６）。ここで生成される背景画像は、その主走査方向の背景文字列の配設個数が背景文字列の設定個数記憶部２３から取得した主走査方向の背景文字列の個数に一致するように配設される。
【００５９】
なお、副走査方向の背景文字列の最適個数は、出力用紙サイズに対応して予め設定されている。
【００６０】
すなわち、図４に示す背景画像４２０は、主走査方向の背景文字列の個数が「３」であり、副走査方向の背景文字列の配設個数が「８」である場合を示しており、図４においては、それぞれ「１２３」からなる文字列４２１が、主走査方向３個、副走査方向８個、千鳥状に配設されている。
【００６１】
ステップ２０７では、画像合成部２７による入力画像記憶部２２に記憶された原稿画像と背景画像生成部２６で生成された背景画像との合成が行われ、この合成された合成画像は画像出力部２８によりプリンタ３０の印字部３１に転送され（ステップ２０８）、この処理は終了する。
【００６２】
図５は、出力用紙サイズが「Ａ０」の場合の、ステップ２０７で画像合成部２７により行われる原稿画像と背景画像との合成例を示したものである。
【００６３】
図５においては、文字「Ａ」が記載された画像サイズが「Ａ０」の原稿画像５１０と文字列５２１が主走査方向に３個、副走査方向に、例えば、８個、千鳥状に配設されている画像サイズが「Ａ０」の背景画像５２０とが合成され、画像サイズが「Ａ０」の合成画像５３０が形成される。 
ここで、この実施例においては、背景画像５２０の主走査方向の背景文字列の個数を「３」と設定するだけで、この主走査方向の背景文字列の個数「３」および出力用紙サイズ「Ａ０」に基づき背景文字列を構成する各文字のサイズが決定されるとともに、この決定されたサイズの所定の文字からなる背景文字列５２１が決定され、この背景文字列５２１が背景画像の全面に（主走査方向には３個、副走査方向には、例えば、８個）千鳥状に配列された画像サイズが「Ａ０」の背景画像５２０が生成される。この画像サイズが「Ａ０」の背景画像５２０と画像サイズが「Ａ０」の原稿画像５１０とが合成されて、画像サイズが「Ａ０」の合成画像５３０が形成される。
【００６４】
図６は、出力用紙サイズが「Ａ４」の場合の、ステップ２０７で画像合成部２７により行われる原稿画像と背景画像との合成例を示したものである。
【００６５】
図６においても、文字「Ａ」が記載された画像サイズが「Ａ４」の原稿画像６１０と文字列６２１が主走査方向に３個、副走査方向には、例えば、８個、千鳥状に配設されている画像サイズが「Ａ４」の背景画像６２０とを合成することにより画像サイズが「Ａ４」の合成画像６３０が形成される。 
この実施例においても、背景画像６２０の主走査方向の背景文字列の個数が「３」と設定されているので、この主走査方向の背景文字列の個数「３」および出力用紙サイズ「Ａ４」に基づき背景文字列を構成する各文字のサイズが決定されるとともに、この決定されたサイズの所定の文字からなる背景文字列６２１が決定され、この決定された背景文字列６２１が背景画像の全面に（主走査方向には３個、副走査方向には、例えば、８個）千鳥状に配列された画像サイズが「Ａ４」の背景画像６２０が生成され、この生成された画像サイズが「Ａ４」の背景画像６２０と画像サイズが「Ａ４」の原稿画像６１０とが合成されて、画像サイズが「Ａ４」の合成画像６３０が形成される。
【００６６】
ここで、図５に示す出力用紙サイズが「Ａ０」の場合および図６に示す出力用紙サイズが「Ａ４」のいずれの場合も、背景画像の主走査方向の背景文字列の個数を設定するだけで、出力用紙サイズに対応した面倒な設定を行うことなく、出力用紙サイズが「Ａ０」、「Ａ４」にそれぞれ対応した自然な背景画像を生成することができ、これにより、それぞれ自然な背景画像が合成された画像サイズが「Ａ０」の合成画像５３０、画像サイズが「Ａ４」の合成画像６３０を得ることができる。
【００６７】
このような構成によると、例えば、図７に示すように、出力用紙サイズが「Ａ４」の背景画像７２０を生成して、この画像サイズが「Ａ４」の背景画像７２０と画像サイズが「Ａ４」の原稿画像７１０とを合成して画像サイズが「Ａ４」の合成画像７３０を形成し、その後、この画像サイズが「Ａ４」の合成画像７３０を画像サイズが「Ａ０」の合成画像７４０に拡大した場合においても、主走査方向の背景文字列の個数は３個、副走査方向の背景文字列の個数は８個にた保たれ、しかも背景文字列のサイズは、この拡大処理により画像サイズが「Ａ４」から「Ａ０」に変化しても、出力用紙サイズに応じた背景文字列のサイズに保たれる。
【００６８】
図８は、操作パネル４０の操作部４１で採用される景文字列の文字サイズを設定するための文字列サイズ指定画面の一例を示したものである。
【００６９】
この文字列サイズ指定画面においては、自動指定モードと個数指定モードとが選択できるように構成されており、図８においては、個数指定モードが選択され、主走査方向における背景文字列の個数が「３」と指定された場合を示している。
【００７０】
この文字列サイズ指定画面で指定された背景文字列の個数「３」は、図１に示したコントローラ２０の背景文字列の設定個数記憶部２３に記憶され、背景画像生成部２６では、主走査方向の背景文字の個数が「３」の背景画像が生成される。この場合、背景画像の副走査方向における背景文字の個数（副走査方向の間隔）は、主走査方向における背景文字列の個数に対応して決定される。
【００７１】
上記構成においては、背景画像の主走査方向の個数を操作パネル４０の操作部４１における文字列サイズ指定画面で指定して、背景画像の副走査方向における背景文字の個数（副走査方向の間隔）は、主走査方向における背景文字列の個数に対応して決定するように構成したが、背景画像の主走査方向の文字列の個数に加えて副走査方向の文字列の個数も指定するように構成してもよい。
【００７２】
図９は、操作パネル４０の操作部４１で採用される景文字列の文字サイズを設定するための文字列サイズ指定画面の他の例を示したものである。
【００７３】
この文字列サイズ指定画面においても、自動指定モードと個数指定モードとが選択できるように構成されており、図９においては、個数指定モードが選択され、主走査方向における背景文字列の個数が「３」と指定され、副走査方向における背景文字列の個数が「８」と指定された場合を示している。
【００７４】
この文字列サイズ指定画面で指定された主走査方向における背景文字列の個数「３」および副走査方向における背景文字列の個数「８」は、図１に示したコントローラ２０の背景文字列の設定個数記憶部２３に記憶され、背景画像生成部２６では、主走査方向の背景文字の個数が「３」、副走査方向の個数が「８」の背景画像が生成される。
【００７５】
図１０は、操作パネル４０の操作部４１で採用される景文字列の文字サイズを設定するための文字列サイズ指定画面の更に他の例を示したものである。
【００７６】
図１０に示す文字列サイズ指定画面では、主走査方向および副走査方向の背景文字列の個数に代えて、用紙のＸ方向、Ｙ方向に対応して背景文字列の個数を指定できるようになっている。すなわち、図１０に示す文字列サイズ指定画面には、用紙のＸ方向、Ｙ方向を示す図およびＸ方向、Ｙ方向に対応して背景文字列の個数を指定する指定部を有する。図１０においては、個数指定モードが選択され、Ｘ方向における背景文字列の個数が「３」と指定され、Ｙ方向における背景文字列の個数が「８」と指定された場合を示す。
【００７７】
図１１は、操作パネル４０の操作部４１で採用される景文字列の文字サイズを設定するための文字列サイズ指定画面で自動指定モードが選択された場合を示す図である。
【００７８】
この自動指定モードにおいては、背景文字列を構成する文字数に対応して背景画像のＸ方向およびＹ方向の背景文字列の個数が自動設定される。すなわち、文字列サイズ指定画面で自動指定モードが選択された場合は、「背景文字列の文字数に応じて背景文字列の個数を自動的に設定します。」というメッセージ表示され、この場合は、図１２に示す背景文字列個数決定テーブルに基づき背景画像のＸ方向およびＸ方向の背景文字列の個数が自動設定される。
【００７９】
例えば、背景画像の文字列の文字数が「１」から「３」の場合は、Ｘ方向の背景文字列の個数が「３」と自動設定され、Ｙ方向の背景文字列の個数が「３」と自動設定される。
【００８０】
同様に、背景画像を形成する文字列の文字数が「４」から「８」の場合は、Ｘ方向の背景文字列の個数が「２」と自動設定され、Ｙ方向の背景文字列の個数が「４」と自動設定され、背景画像を形成する文字列の文字数が「９」以上の場合は、Ｘ方向の背景文字列の個数が「１」と自動設定され、Ｙ方向の背景文字列の個数が「１」と自動設定される。
【００８１】
上記文字列サイズ指定画面で自動設定されたＸ方向における背景文字列の個数およびＹ方向における背景文字列の個数は、図１に示したコントローラ２０の背景文字列の設定個数記憶部２３に記憶され、背景画像生成部２６では、この背景文字列の設定個数記憶部２３に記憶されたＸ方向における背景文字列の個数およびＹ方向における背景文字列の個数に基づき背景画像を生成する。
【００８２】
なお、上記構成においては、背景画像の文字列の文字数に応じて背景画像のＸ方向における背景文字列の個数およびＹ方向における背景文字列の個数を自動設定するように構成したが、背景画像の文字列の文字数に応じて背景画像の主走査方向における背景文字列の個数および副走査方向における背景文字列の個数を自動設定するように構成してもよく、また、Ｘ方向またはＹ方向のいずれか一方若しくは主走査方向または副走査方向のいずれか一方の個数を自動設定して、他の方向はこの自動設定した個数に対応して決定するように構成してもよい。
【００８３】
以上が本発明の代表的な実施形態の一例であるが、本発明は、上記実施例及び図面に示す実施例に限定することなく、その要旨を変更しない範囲内で適宜変形して実施できるものである。
【００８４】
また、上記背景画像合成処理は、記憶装置に記憶された背景画像合成プログラムに基づき中央演算処理装置で処理することにより行うことができる。
【００８５】
なお、上記背景画像合成プログラムは、ネットワーク等の通信手段により提供することは勿論、ＣＤ−ＲＯＭ、ＤＶＤ等の外部記録媒体に記録して提供することも可能である。
【図面の簡単な説明】
【００８６】
【図１】本発明に係わる画像処理装置の一実施例の全体構成を示すブロック図である。
【図２】図１に示したコントローラの画像形成処理を示すフローチャートである。
【図３】図１に示した背景文字列のサイズ決定部で使用する背景文字列サイズ決定テーブルの一例を示す図である。
【図４】図１に示した背景画像生成部で生成される背景画像の一例を示す図である。
【図５】出力用紙サイズが「Ａ０」の場合の、画像合成部により行われる原稿画像と背景画像との合成例を示した図である。
【図６】出力用紙サイズが「Ａ４」の場合の、画像合成部により行われる原稿画像と背景画像との合成例を示した図である。
【図７】画像合成部で合成された合成画像を拡大した場合を示す図である。
【図８】操作パネルの操作部で採用される景文字列の文字サイズを設定するための文字列サイズ指定画面の一例を示した図である。
【図９】操作パネルの操作部で採用される景文字列の文字サイズを設定するための文字列サイズ指定画面の他の例を示した図である。
【図１０】操作パネルの操作部で採用される景文字列の文字サイズを設定するための文字列サイズ指定画面の更に他の例を示した図である。
【図１１】操作パネルの操作部で採用される景文字列の文字サイズを設定するための文字列サイズ指定画面で自動指定モードが選択された場合を示す図である。
【図１２】文字列サイズ指定画面で自動指定モードが選択された場合に用いられる文字列個数決定テーブルの一例を示す図である。
【符号の説明】
【００８７】
１０    スキャナ
１１    画像読取部
２０    コントローラ
２１    画像入力部
２２    入力画像記憶部
２３    背景文字列の設定個数記憶部
２４    背景文字列のサイズ決定部
２５    背景文字列生成部
２６    背景画像生成部
２７    画像合成部
２８    画像出力部
３０    プリンタ
３１    印字部
４０    操作パネル
４１    操作部
１００    画像処理装置
４２０    背景画像
４２１    背景文字列
５１０    原稿画像
５２０    背景画像
５２１    背景文字列
５３０    合成画像
６１０    原稿画像
６２０    背景画像
６２１    背景文字列
６３０    合成画像
７１０    原稿画像
７２０    背景画像
７２１    背景文字列
７３０    合成画像
７４０    拡大画像
【図１】
2010103827.tif 000003
【図２】
2010103827.tif 000004
【図３】
2010103827.tif 000005
【図４】
2010103827.tif 000006
【図５】
2010103827.tif 000007
【図６】
2010103827.tif 000008
【図７】
2010103827.tif 000009
【図８】
2010103827.tif 000010
【図９】
2010103827.tif 000011
【図１０】
2010103827.tif 000012
【図１１】
2010103827.tif 000013
【図１２】
2010103827.tif 000014